(57)【要約】【課題】表示対象物の情報を正しく表示し、表示対象物の関係者に周知する。【解決手段】サーバ２００は、メニュー情報取得要求と摂取不可者リスト取得要求とを受信する通信部２１４と、摂取不可者リスト取得要求を受信した場合、メニュー情報およびアレルギー情報から摂取不可者リストを生成するリスト生成部２１８と、メニュー情報取得要求に応じて料理情報から取得したメニュー情報を送信し、摂取不可者リスト取得要求に応じて摂取不可者リストを表示端末５００に送信する通信部２１４とを備え、表示端末５００は、メニュー情報に基づいて作成された料理を納めた容器に、表示端末５００を取り付ける取付部５０４と、メニュー情報と摂取不可者リストとを受信する通信部５１２と、表示端末５００が容器に取り付けられた場合、容器に納められた料理の摂取不可者とメニュー情報とを表示する表示制御部５１８とを備える。【選択図】図２
2016170719.tif 000002
【特許請求の範囲】
【請求項１】
情報処理装置と、前記情報処理装置と接続された表示端末とを備えた表示システムにおいて、
前記情報処理装置は、
表示対象物の名称と前記表示対象物に使用される材料情報とを対応付けた対象物情報と、前記表示対象物の取得者に関連する関連情報と、を記憶する記憶部と、
前記表示対象物の一部または全部の名称と前記材料情報とを対応付けた指定対象物情報を要求する第１取得要求と、前記指定対象物情報に含まれる前記表示対象物の名称と前記表示対象物を取得できない取得不可者とを対応付けた取得不可者情報を要求する第２取得要求と、を受信する受信部と、
前記第２取得要求を受信した場合、前記指定対象物情報および前記関連情報から前記取得不可者情報を生成する生成部と、
前記第１取得要求に応じて、前記対象物情報から取得した前記指定対象物情報を送信し、前記第２取得要求に応じて、生成した前記取得不可者情報を、前記表示端末に送信する送信部と、を備え、
前記表示端末は、
前記指定対象物情報に基づいて作成された前記表示対象物を納めた容器に、前記表示端末を取り付ける取付部と、
前記指定対象物情報と前記取得不可者情報とを受信する通信部と、
前記表示端末が前記容器に取り付けられた場合、前記容器に納められた前記表示対象物の前記取得不可者と前記指定対象物情報とを表示部に表示する表示制御部と、を備える表示システム。
【請求項２】
前記表示端末は、
前記容器に納められた前記表示対象物から、前記表示対象物に関する情報を取得する取得部と、
取得した前記表示対象物に関する情報と、受信した前記指定対象物情報とを比較して、両者が同一の前記表示対象物を示しているか否かを判断する判断部と、をさらに備え、
前記表示制御部は、同一の前記表示対象物を示している場合、前記容器に納められた前記表示対象物の前記取得不可者と前記指定対象物情報とを前記表示部に表示する、請求項１に記載の表示システム。
【請求項３】
前記対象物情報は、さらに、前記表示対象物の名称と前記表示対象物の画像とを対応付け、
前記指定対象物情報は、さらに、前記表示対象物の一部または全部の名称と前記表示対象物の画像とを対応付け、
前記取得部は、前記容器に納められた前記表示対象物を撮像する撮像部であって、
前記判断部は、撮像された前記表示対象物の画像と、受信した前記指定対象物情報に含まれる前記表示対象物の画像とを比較して、同一の前記表示対象物を示しているか否かを判断する、請求項２に記載の表示システム。
【請求項４】
前記記憶部は、料理の名称と前記料理に使用される食材情報とを対応付けた料理情報と、前記料理の摂取者に関連するアレルギー情報と、を記憶し、
前記受信部は、料理情報の一部または全部の名称と前記食材情報とを対応付けたメニュー情報を要求するメニュー情報取得要求と、前記メニュー情報に含まれる料理の名称と当該料理を摂取できない摂取不可者とを対応付けた摂取不可者情報を要求する摂取不可者情報取得要求と、を受信し、
前記生成部は、前記摂取不可者情報取得要求を受信した場合、前記メニュー情報およびアレルギー情報から、前記摂取不可者情報を生成し、
前記送信部は、前記メニュー情報取得要求に応じて、前記料理情報から取得した前記メニュー情報を送信し、前記摂取不可者情報取得要求に応じて、生成した前記摂取不可者情報を、前記表示端末に送信し、
前記取付部は、前記メニュー情報に基づいて作成された前記料理を納めた容器に、前記表示端末を取り付け、
前記受信部は、前記摂取不可者情報と前記メニュー情報とを受信し、
前記表示制御部は、前記表示端末が前記容器に取り付けられた場合、前記容器に納められた前記料理の前記摂取不可者と前記メニュー情報とを表示部に表示する、請求項１に記載の表示システム。
【請求項５】
情報処理装置と、前記情報処理装置と接続された表示端末とを備えた表示システムで実行される表示方法において、
前記情報処理装置は、
表示対象物の名称と前記表示対象物に使用される材料情報とを対応付けた対象物情報と、前記表示対象物の取得者に関連する関連情報と、を記憶する記憶部を備え、
前記表示対象物の一部または全部の名称と前記材料情報とを対応付けた指定対象物情報を要求する第１取得要求と、前記指定対象物情報に含まれる前記表示対象物の名称と前記表示対象物を取得できない取得不可者とを対応付けた取得不可者情報を要求する第２取得要求と、を受信する受信ステップと、
前記第２取得要求を受信した場合、前記指定対象物情報および前記関連情報から前記取得不可者情報を生成する生成ステップと、
前記第１取得要求に応じて、前記対象物情報から取得した前記指定対象物情報を送信し、前記第２取得要求に応じて、生成した前記取得不可者情報を、前記表示端末に送信する送信ステップと、を含み、
前記表示端末は、
前記指定対象物情報に基づいて作成された前記表示対象物を納めた容器に、前記表示端末を取り付ける取付部を備え、
前記指定対象物情報と前記取得不可者情報とを受信する通信ステップと、
前記表示端末が前記容器に取り付けられた場合、前記容器に納められた前記表示対象物の前記取得不可者と前記指定対象物情報とを表示部に表示する表示制御ステップと、を含む表示方法。
【請求項６】
表示端末と接続された情報処理装置において、
表示対象物の名称と前記表示対象物に使用される材料情報とを対応付けた対象物情報と、前記表示対象物の取得者に関連する関連情報と、を記憶する記憶部と、
前記表示対象物の一部または全部の名称と前記材料情報とを対応付けた指定対象物情報を要求する第１取得要求と、前記指定対象物情報に含まれる前記表示対象物の名称と前記表示対象物を取得できない取得不可者とを対応付けた取得不可者情報を要求する第２取得要求と、を受信する受信部と、
前記第２取得要求を受信した場合、前記指定対象物情報および前記関連情報から前記取得不可者情報を生成する生成部と、
前記第１取得要求に応じて、前記対象物情報から取得した前記指定対象物情報を送信し、前記第２取得要求に応じて、生成した前記取得不可者情報を、前記表示端末に送信する送信部と、を備える情報処理装置。
【請求項７】
表示対象物の名称と前記表示対象物に使用される材料情報とを対応付けた対象物情報と、前記表示対象物の取得者に関連する関連情報と、を記憶する記憶部を備え、表示端末と接続されたコンピュータに、
前記表示対象物の一部または全部の名称と前記材料情報とを対応付けた指定対象物情報を要求する第１取得要求と、前記指定対象物情報に含まれる前記表示対象物の名称と前記表示対象物を取得できない取得不可者とを対応付けた取得不可者情報を要求する第２取得要求と、を受信する受信ステップと、
前記第２取得要求を受信した場合、前記指定対象物情報および前記関連情報から前記取得不可者情報を生成する生成ステップと、
前記第１取得要求に応じて、前記対象物情報から取得した前記指定対象物情報を送信し、前記第２取得要求に応じて、生成した前記取得不可者情報を、前記表示端末に送信する送信ステップと、を実行させるためのプログラム。
【発明の詳細な説明】
【技術分野】
【０００１】
本発明は、表示システム、表示方法、情報処理装置、およびプログラムに関する。
【背景技術】
【０００２】
近年、食物アレルギーを持つ人が増えており、アレルギーの対象となる食物の種類も増えている。一方、小中学校では給食があり、基本的には同一の料理を児童に提供しているが、食物アレルギーを持つ児童へは食物を替えて提供したり、代替物がない場合は別料理を提供したりお弁当を持参するのが実情である。そして、給食の配膳時における児童への配膳に関するチェックは、アレルギー情報が記載されたシートによる目視という状況である。このため、当該チェックを忘れると、食物アレルギーを持つ児童へアレルギーの対象となる食物が誤って配膳されてしまう可能性がある。
【０００３】
そこで、アレルゲンが含まれている食事がアレルギーを有する園児に提供されてしまうことを防止するアレルゲン管理システムが開示されている（例えば、特許文献１参照）。このシステムでは、園児の名札に個人ＩＤとアレルギー情報とを記憶させ、食器に料理名と使用材料を含む調理情報とを記憶させておき、名札から読み取ったアレルギー情報と、食器から読み取った調理情報とを照合して、照合結果を通知するものである。
【発明の概要】
【発明が解決しようとする課題】
【０００４】
しかしながら、特許文献１のシステムなどでは、食器に盛られた料理を確認した上で、食器からの情報と名札からの情報とを照合しているが、小中学校の給食では、料理をまとめて配送して教室で配膳するため、食器に料理が正しく配膳されるとは限らない。このため、記憶された情報と異なる料理が盛られた食器から読み取った情報を用いて照合を行ってしまうと、食物アレルギーを持つ児童へアレルギーの対象となる食物が誤って配膳されてしまうという問題があった。
【０００５】
本発明は、上記に鑑みてなされたものであって、容器に納められた表示対象物の情報を正しく表示できるとともに、表示された情報を表示対象物の取得者等の関係者に周知することができる表示システム、表示方法、情報処理装置、およびプログラムを提供することを目的とする。
【課題を解決するための手段】
【０００６】
上述した課題を解決し、目的を達成するために、本発明は、情報処理装置と、前記情報処理装置と接続された表示端末とを備えた表示システムにおいて、前記情報処理装置は、表示対象物の名称と前記表示対象物に使用される材料情報とを対応付けた対象物情報と、前記表示対象物の取得者に関連する関連情報と、を記憶する記憶部と、前記表示対象物の一部または全部の名称と前記材料情報とを対応付けた指定対象物情報を要求する第１取得要求と、前記指定対象物情報に含まれる前記表示対象物の名称と前記表示対象物を取得できない取得不可者とを対応付けた取得不可者情報を要求する第２取得要求と、を受信する受信部と、前記第２取得要求を受信した場合、前記指定対象物情報および前記関連情報から前記取得不可者情報を生成する生成部と、前記第１取得要求に応じて、前記対象物情報から取得した前記指定対象物情報を送信し、前記第２取得要求に応じて、生成した前記取得不可者情報を、前記表示端末に送信する送信部と、を備え、前記表示端末は、前記指定対象物情報に基づいて作成された前記表示対象物を納めた容器に、前記表示端末を取り付ける取付部と、前記指定対象物情報と前記取得不可者情報とを受信する通信部と、前記表示端末が前記容器に取り付けられた場合、前記容器に納められた前記表示対象物の前記取得不可者と前記指定対象物情報とを表示部に表示する表示制御部と、を備える。
【発明の効果】
【０００７】
本発明によれば、容器に納められた表示対象物の情報を正しく表示できるとともに、表示された情報を表示対象物の取得者等の関係者に周知することができるという効果を奏する。
【図面の簡単な説明】
【０００８】
【図１】図１は、実施の形態にかかる表示システムの全体構成を示す図である。
【図２】図２は、実施の形態にかかるＰＣ、サーバ、および表示端末の構成を示すブロック図である。
【図３】図３は、料理情報ＤＢの一例を示す図である。
【図４】図４は、アレルギー情報ＤＢの一例を示す図である。
【図５】図５は、メニュー情報の一例を示す図である。
【図６】図６は、アレルギー状況情報の一例である。
【図７】図７は、摂取不可児童リストの一例である。
【図８】図８は、表示端末の外観を示す図である。
【図９】図９は、メニュー情報や摂取不可者等が表示端末の表示部に表示された例を示す図である。
【図１０】図１０は、実施の形態にかかる表示システムにおけるアレルギー情報の登録処理の流れを示すフローチャートである。
【図１１】図１１は、実施の形態にかかる表示システムにおける料理情報の登録処理の流れを示すフローチャートである。
【図１２】図１２は、実施の形態にかかる表示システムにおける各種情報の表示処理の流れを示すフローチャートである。
【図１３】図１３は、実施の形態にかかるＰＣのハードウェア構成を示す説明図である。
【図１４】図１４は、実施の形態の変形例１にかかる表示システムにおける各種情報の表示処理の流れを示すフローチャートである。
【図１５】図１５は、実施の形態の変形例２にかかる表示システムにおける各種情報の表示処理の流れを示すフローチャートである。
【図１６】図１６は、実施の形態の変形例３にかかる表示システムにおける各種情報の表示処理の流れを示すフローチャートである。
【発明を実施するための形態】
【０００９】
以下に添付図面を参照して、表示システム、表示方法、情報処理装置、およびプログラムの実施の形態を詳細に説明する。本実施の形態の表示システムは、小中学校などで給食を提供する場合に、食物アレルギーを持つ児童が摂取できない料理を周知させるため、料理の容器に表示端末を取り付け、当該表示端末に料理に関連する情報や摂取不可な児童名などを表示するものである。なお、料理が表示対象物の一例である。
【００１０】
図１は、実施の形態にかかる表示システムの全体構成を示す図である。図１に示すように、本実施の形態にかかる表示システムは、小中学校などで食材を調理して給食（料理）を作る調理師が利用するＰＣ（Personal  Computer）１００と、小中学校に通う児童や児童の保護者が利用するＰＣ３００と、小中学校で給食のメニューを作成する栄養士が利用するＰＣ４００と、各種情報を記憶する記憶部２３０を備えたサーバ２００（情報処理装置の一例）と、調理された料理を納めた容器に取り付けられ各種情報を表示する表示端末５００とがネットワーク１０を介して接続されている。
【００１１】
図２は、実施の形態にかかるＰＣ、サーバ、および表示端末の構成を示すブロック図である。まず、調理師が利用するＰＣ１００について説明する。図２に示すように、ＰＣ１００は、表示部１０２と、入力部１０４と、記憶部１３０と、表示制御部１１２と、入力受付部１１４と、制御部１１６と、通信部１１８とを主に備えている。
【００１２】
表示部１０２は、文字や画像、各種画面等を表示するものであり、例えばディスプレイ装置である。入力部１０４は、ユーザが各種入力を行う際に操作するものであり、例えば、キーボードやマウス等である。記憶部１３０は、種々のデータを保存するＨＤＤ（Hard  Disk  Drive）やメモリ等の記憶媒体である。
【００１３】
表示制御部１１２は、表示部１０２に各種情報や画面等を表示する制御を行う。本実施の形態では、表示制御部１１２は、ＰＣ１００からサーバ２００にアクセスする際に、ＩＤ（ＩＤentification）とパスワードを入力する入力画面を表示部１０２に表示する。また、表示制御部１１２は、通信部１１８により、給食のメニュー情報を受信した場合、メニュー情報を表示部１０２に表示する。なお、メニュー情報は、指定対象物情報の一例であって、詳細は後述する（図５参照）。
【００１４】
入力受付部１１４は、入力部１０４を介して、ユーザによる各種情報や指示の入力を受け付ける。本実施の形態では、入力受付部１１４は、表示部１０２に表示された入力画面から、ユーザによるＩＤとパスワードの入力を受け付ける。また、表示部１０２に表示されたメニュー情報から、ユーザによる料理の選択を受け付ける。
【００１５】
制御部１１６は、ＰＣ１００の全体を制御するものである。
【００１６】
通信部１１８は、ネットワークを介して接続されたサーバ２００や表示端末５００等と各種情報の送受信を行うものである。本実施の形態では、通信部１１８は、入力を受け付けた調理師ＩＤおよびパスワードをサーバ２００に送信し、サーバ２００において認証が成功した場合、認証が成功した旨を受信する。また、通信部１１８は、認証が成功した場合、給食のメニュー情報を要求する旨のメニュー情報取得要求を、取得したい日付と調理師が所属する学校名とともにサーバ２００に送信し、サーバ２００からメニュー情報を受信する。調理師は、受信したメニュー情報に従って給食を作ることになる。
【００１７】
また、通信部１１８は、受信したメニュー情報に従って給食を作った後に、給食の料理を摂取できない児童の情報である摂取不可児童リストを要求する旨の摂取不可児童リスト取得要求を、学校名とクラスとともにサーバ２００に送信する。そして、通信部１１８は、サーバ２００から摂取不可児童リストを受信する。なお、摂取不可児童リストは、取得不可情報の一例であって、表形式に限定されるものではない。また、摂取不可児童リストの詳細については後述する（図７参照）。
【００１８】
また、通信部１１８は、入力受付部１１４によりユーザによる料理の選択を受け付けた場合、選択された料理の容器に取り付けられる表示端末５００に、日付、学校名、クラス、メニュー情報、摂取不可児童リストを送信する。
【００１９】
次に、サーバ２００について説明する。図２に示すように、サーバ２００は、記憶部２３０と、制御部２１２と、通信部２１４と、認証部２１６と、リスト生成部２１８とを主に備えている。
【００２０】
記憶部２３０は、顧客情報ＤＢ（database）２３２、料理情報ＤＢ２３４、およびアレルギー情報ＤＢ２３６等を記憶するＨＤＤやメモリ等の記憶媒体である。
【００２１】
顧客情報ＤＢ２３２は、サーバ２００にアクセスするＰＣ等の認証を行うための顧客の情報が記憶されており、例えば、ユーザ（調理師、栄養士、児童等）のＩＤとパスワードが対応付けて登録されている。
【００２２】
料理情報ＤＢ２３４は、料理情報が登録（記憶）されているものである。料理情報とは、いずれの学校でいつどのような料理（給食の料理）が提供されるか（メニュー）が登録され、さらにその料理に使用される食材（食材情報）が登録されている。図３は、料理情報ＤＢの一例を示す図である。図３に示すように、料理情報ＤＢ２３４は、日付と、学校名と、料理名と、その料理に使用される食材（食材情報）とが対応付けて登録されている。図３では、例えば、３月２日の××小学校の給食のメニューの一つが、そばおよび椎茸を利用する料理Ａ１であることがわかる。この料理情報は、栄養士により決められるものであって、栄養士の利用するＰＣ４００から受信し、料理情報ＤＢ２３４に登録される。なお、料理情報が対象物情報の一例である。
【００２３】
アレルギー情報ＤＢ２３６は、料理の摂取者（取得者）に関連するアレルギー情報が登録（記憶）されているものである。アレルギー情報とは、いずれの学校のどのクラスの誰が、どの食材に対してアレルギーを持っているかが登録されている。図４は、アレルギー情報ＤＢの一例を示す図である。図４に示すように、アレルギー情報ＤＢ２３６は、児童のＩＤと、氏名と、学校名と、クラスと、アレルギー対象の食材とが対応付けて登録されている。図４では、例えば、××小学校１年２組のＡ君（ＩＤ：Ｘ００１）は、小麦および甲殻類に対してアレルギーを持っていることがわかる。このアレルギー情報は、児童や児童の保護者に利用するＰＣ３００から受信し、アレルギー情報ＤＢ２３６に登録される。なお、アレルギー情報が関連情報の一例である。
【００２４】
制御部２１２は、サーバ２００全体を制御するものである。本実施の形態では、制御部２１２は、通信部２１４により各種情報を受信した場合、記憶部２３０に登録する。また、制御部２１２は、ＰＣ１００からメニュー情報取得要求とともに日付と学校名とを受信した場合、料理情報ＤＢ２３４における受信した日付の料理名と食材とを参照し、受信した日付の料理名と食材を対応付けたメニュー情報を取得する。本実施の形態では、メニュー情報には料理の画像データが添付されている。
【００２５】
図５は、メニュー情報の一例を示す図である。図５では、３月２日のメニュー情報を示している。このメニュー情報は、料理情報ＤＢ２３４の３月２日の料理名と食材を参照し、料理名と食材とを対応付けて取得したものである。そして、３月２日の料理Ａ１、Ａ２、Ａ３の画像データが添付されている。
【００２６】
また、制御部２１２は、ＰＣ１００から摂取不可児童リスト取得要求とともに学校名とクラスを受信した場合、アレルギー情報ＤＢ２３６から、受信した学校名およびクラスに対応する児童のアレルギー情報を取得する。
【００２７】
通信部２１４は、ネットワークを介して接続されたＰＣ１００、３００、４００等と各種情報の送受信を行うものである。本実施の形態では、通信部２１４は、児童または児童の保護者が利用するＰＣ３００から児童のＩＤとパスワードを受信し、認証が成功した場合、認証が成功した旨をＰＣ３００に送信する。そして、通信部２１４は、ＰＣ３００から児童のアレルギー情報を受信し、制御部２１２によりアレルギー情報ＤＢ２３６に登録されると、登録完了した旨をＰＣ３００に送信する。
【００２８】
また、通信部２１４は、栄養士が利用するＰＣ４００から栄養士のＩＤとパスワードを受信し、認証が成功した場合、認証が成功した旨をＰＣ４００に送信する。そして、通信部２１４は、ＰＣ４００から料理情報を受信し、制御部２１２により料理情報ＤＢ２３４に登録されると、登録完了した旨をＰＣ４００に送信する。
【００２９】
また、通信部２１４は、調理師が利用するＰＣ１００から調理師のＩＤとパスワードを受信し、認証が成功した場合、認証が成功した旨をＰＣ１００に送信する。そして、通信部２１４は、ＰＣ１００からメニュー情報取得要求とともに、メニュー情報を取得したい日付と調理師が所属する学校名とを受信すると、受信した日付の料理名と食材とを対応付けたメニュー情報をＰＣ１００に送信する。
【００３０】
さらに、通信部２１４は、ＰＣ１００から摂取不可児童リスト取得要求とともに、学校名とクラスを受信すると、受信した学校名のクラスに基づいてリスト生成部２１８により作成された摂取不可児童リストをＰＣ１００に送信する。なお、通信部２１４が受信部および送信部に相当する。
【００３１】
本実施の形態では、サーバ２００がＰＣ１００から受信した日付（３月２日）のメニュー情報を取得してＰＣ１００に送信しているが、複数に日付のメニュー情報や、全ての日付のメニュー情報（すなわち料理情報）をＰＣ１００に送信する構成としてもよい。この場合、ＰＣ１００は、摂取不可児童リスト取得要求とともに取得した日付をサーバ２００に送信すれば、取得したい日付の摂取不可児童リストを受信することができる。
【００３２】
認証部２１６は、顧客情報ＤＢ２３２を参照して、ＰＣ３００から受信した児童のＩＤとパスワードの組み合わせ、ＰＣ４００から受信した栄養士のＩＤとパスワードの組み合わせ、およびＰＣ１００から受信した調理師のＩＤとパスワードの組み合わせがあるか否かを判断することにより認証を行う。そして、認証部２１６は、受信したＩＤとパスワードの組み合わせが顧客情報ＤＢ２３２にあった場合、認証が成功したと判断し、受信したＩＤとパスワードの組み合わせが顧客情報ＤＢ２３２になかった場合、認証が失敗したと判断する。
【００３３】
リスト生成部２１８は、記憶部２３０に記憶されている料理情報ＤＢ２３４およびアレルギー情報ＤＢ２３６から、料理を摂取できない児童のリストである摂取不可児童リストを生成する。具体的には、摂取不可児童リストとは、料理の名称とその料理を摂取できない児童（取得不可者）とを対応付けたリストである。なお、リスト生成部２１８が生成部に相当する。以下に、摂取不可児童リストの生成について具体例を挙げて説明する。
【００３４】
ここでは、一例として、３月２日の××小学校における摂取不可児童リストを生成する例を示す。まず、リスト生成部２１８は、制御部２１２により料理情報ＤＢ２３４から取得されたメニュー情報（図５）を参照して、ＰＣ１００から受信した日付の料理で利用されている食材を取得する。具体的には、３月２日の料理Ａ１、Ａ２、Ａ３で利用されている食材である、そば、米、牛乳、椎茸を取得する。
【００３５】
次に、リスト生成部２１８は、制御部２１２がアレルギー情報ＤＢ２３６から取得したアレルギー情報における児童の情報（ＩＤ、氏名、学校名、クラス）と、メニュー情報から取得した食材とを対応付けて、当該食材に対してアレルギーを持っている児童にチェックを入れたアレルギー状況情報を作成する。図６は、アレルギー状況情報の一例である。具体的には、図６に示すように、児童のＩＤと、氏名と、学校名と、クラスと、そばと、牛乳と、米とが対応付けられている。そして、アレルギー情報ＤＢ２３６を参照すると、そばにアレルギーを持つのはＢさんであるため、そばの列のＢさんにチェック「○」が入る。同様に、牛乳の列のＦさん、米の列のＣ君およびＦさんにチェック「○」が入る。なお、椎茸についてのアレルギー情報はないため（図４参照）、対応づけられていない。これにより、３月２日の料理に利用されている食材に対する児童のアレルギー状況が把握できる。
【００３６】
そして、リスト生成部２１８は、メニュー情報（図５）およびアレルギー状況情報（図６）を参照して、料理と児童とを対応付けて、当該料理を摂取できない児童にチェックを入れた摂取不可児童リストを生成する。図７は、摂取不可児童リストの一例である。具体的には、図７に示すように、３月２日の料理（Ａ１、Ａ２、Ａ３）と児童（Ａ君、Ｂさん…）とが対応付けられている。そして、アレルギー状況情報を参照すると、そばを使用した料理Ａ１を摂取できないのはＢさんであるため、Ｂさんの列の料理Ａ１にチェック「○」が入る。同様に、Ｃ君の列は米を使用したＡ２に、Ｆさんの列は、米を使用したＡ２と牛乳を使用したＡ３にチェック「○」が入る。これにより、３月２日に提供される料理を摂取できない児童がわかる。
【００３７】
次に、表示端末５００について説明する。図２に示すように、表示端末５００は、表示部５０２と、取付部５０４と、記憶部５３０と、通信部５１２と、撮像部５１４と、判断部５１６と、表示制御部５１８とを主に備えている。図８は、表示端末の外観を示す図である。図８（ａ）は表示端末５００の側面図であり、図８（ｂ）は表示端末５００の正面図である。
【００３８】
表示部５０２は、文字や画像等を表示するものであり、例えばディスプレイ装置である。図８（ｂ）に示すように、表示部５０２は、表示端末５００の正面に備えられている。
【００３９】
取付部５０４は、料理を納めた容器に表示端末５００を取り付けるものである。図８（ａ）に示すように、取付部５０４は、例えば、Ｌ字形状に形成されており、表示部５０２の裏面に接続されている。そして、料理を納めた容器を、表示部５０２と取付部５０４との隙間に差し込むように掛けることで、容器に表示端末５００を取り付ける。さらに、図８に示すように、取付部５０４は、容器に納められた料理を撮影するカメラ５０６を備えている。
【００４０】
記憶部５３０は、種々のデータや画像を保存するメモリ等の記憶媒体である。本実施の形態では、記憶部５３０は、ＰＣ１００から受信した日付、学校名、クラス、メニュー情報、摂取不可児童リストを保存する。
【００４１】
通信部５１２は、ＰＣ１００から各種情報を受信し、受信した各種情報を記憶部５３０に保存する。本実施の形態では、通信部５１２は、ＰＣ１００から受信した日付、学校名、クラス、メニュー情報、摂取不可児童リストを受信し、記憶部５３０に保存する。
【００４２】
撮像部５１４は、容器に納められた料理をカメラ５０６により撮像して画像データ（料理に関する情報）を取得するものである。
【００４３】
判断部５１６は、撮像部５１４により撮像された料理の画像データと、受信したメニュー情報に添付されている料理の画像データを比較して、同一の料理を示しているか否かを判断する。比較方法は、例えば、判断部５１６は、撮像された画像データと受信した画像データとから特徴点を抽出し、パターンマッチングや統計的識別法、構造識別法などを用いて画像を識別して両画像データを比較し、同一の料理か否かを判断する。また、画像データ以外でも、センサにより温度を検出することで加熱したか否かの判断ができる。また、塩分濃度、Ｐｈ等により判断することも挙げられる。また、これらを組み合わせることで、同一料理か否かの判断精度を向上させることができる。
【００４４】
表示制御部５１８は、ＰＣ１００から日付、学校名、クラス、メニュー情報、摂取不可児童リストを受信し、表示端末５００が容器に取り付けられ、容器に納められた料理とメニュー情報が示す料理とが同一であると判断された場合、日付、学校名、クラス、容器に納められた料理のメニュー情報、摂取不可者を表示部５０２に表示する。
【００４５】
図９は、メニュー情報や摂取不可者等が表示端末の表示部に表示された例を示す図である。図９に示すように、表示端末５００は、料理を納めた容器に表示端末５００が取り付けられている。そして、表示端末の表示部５０２には、日付（２０１５年３月２日）、学校名（××小学校）、クラス（３年４組）、メニュー情報（メニュー：明太子スパゲッティ）、摂取不可児童（摂取不可児童名：○○○○…）、および料理の画像（＜料理画像＞）が表示されている。
【００４６】
次に、料理情報、アレルギー情報がサーバ２００に登録され、その後表示端末に料理の摂取不可者やメニュー情報等が表示されるまでの処理について説明する。まず、ＰＣ３００からサーバ２００へのアレルギー情報の登録処理について説明する。図１０は、実施の形態にかかる表示システムにおけるアレルギー情報の登録処理の流れを示すフローチャートである。
【００４７】
まず、ＰＣ３００は、児童または児童の保護者であるユーザから児童のＩＤとパスワードの入力を受け付けると、受け付けたＩＤとパスワードをサーバ２００に送信する（ステップＳ１０２）。
【００４８】
サーバ２００の通信部２１４は、ＰＣ３００からＩＤとパスワードを受信すると（ステップＳ１０４）、認証部２１６は、顧客情報ＤＢ２３２を参照して、受信したＩＤとパスワードの組み合わせがあるか否かを判断する（ステップＳ１０６）。受信したＩＤとパスワードの組み合わせがなかった場合（ステップＳ１０６：Ｎｏ）、処理を終了する。この際、通信部２１４は、認証が失敗した旨をＰＣ３００に送信してもよい。一方、受信したＩＤとパスワードの組み合わせがあった場合（ステップＳ１０６：Ｙｅｓ）、通信部２１４は、認証が成功した旨をＰＣ３００に送信する（ステップＳ１０８）。
【００４９】
ＰＣ３００は、認証が成功した旨を受信すると（ステップＳ１１０）、児童のアレルギー情報の入力を受け付け、サーバ２００に送信する（ステップＳ１１２）。
【００５０】
サーバ２００の通信部２１４は、ＰＣ３００から児童のアレルギー情報を受信すると（ステップＳ１１４）、制御部２１２は、記憶部２３０に記憶されているアレルギー情報ＤＢ２３６に、受信したアレルギー情報を登録する（ステップＳ１１６）。そして、アレルギー情報の登録が完了すると、通信部２１４は、登録完了した旨をＰＣ３００に送信する（ステップＳ１１８）。
【００５１】
ＰＣ３００は、アレルギー情報の登録が完了した旨を受信する（ステップＳ１２０）。これにより、児童や児童の保護者は、アレルギー情報がサーバ２００に登録できたことがわかる。
【００５２】
次に、ＰＣ４００からサーバ２００への料理情報の登録処理について説明する。図１１は、実施の形態にかかる表示システムにおける料理情報の登録処理の流れを示すフローチャートである。
【００５３】
まず、ＰＣ４００は、栄養士であるユーザから栄養士のＩＤとパスワードの入力を受け付けると、受け付けたＩＤとパスワードをサーバ２００に送信する（ステップＳ１３２）。
【００５４】
サーバ２００の通信部２１４は、ＰＣ４００からＩＤとパスワードを受信すると（ステップＳ１３４）、認証部２１６は、顧客情報ＤＢ２３２を参照して、受信したＩＤとパスワードの組み合わせがあるか否かを判断する（ステップＳ１３６）。受信したＩＤとパスワードの組み合わせがなかった場合（ステップＳ１３６：Ｎｏ）、処理を終了する。この際、通信部２１４は、認証が失敗した旨をＰＣ４００に送信してもよい。一方、受信したＩＤとパスワードの組み合わせがあった場合（ステップＳ１３６：Ｙｅｓ）、通信部２１４は、認証が成功した旨をＰＣ４００に送信する（ステップＳ１３８）。
【００５５】
ＰＣ４００は、認証が成功した旨を受信すると（ステップＳ１４０）、料理情報の入力を受け付け、サーバ２００に送信する（ステップＳ１４２）。
【００５６】
サーバ２００の通信部２１４は、ＰＣ４００から料理情報を受信すると（ステップＳ１４４）、制御部２１２は、記憶部２３０に記憶されている料理情報ＤＢ２３４に、受信した料理情報を登録する（ステップＳ１４６）。そして、料理情報の登録が完了すると、通信部２１４は、登録完了した旨をＰＣ４００に送信する（ステップＳ１４８）。
【００５７】
ＰＣ４００は、料理情報の登録完了した旨を受信する（ステップＳ１５０）。これにより、栄養士は、料理情報がサーバ２００に登録できたことがわかる。
【００５８】
次に、サーバ２００から送信された情報を表示端末５００に表示する表示処理について説明する。図１２は、実施の形態にかかる表示システムにおける各種情報の表示処理の流れを示すフローチャートである。
【００５９】
まず、ＰＣ１００の入力受付部１１４は、調理師であるユーザから調理師のＩＤとパスワードの入力を受け付けると、通信部１１８は、受け付けたＩＤとパスワードをサーバ２００に送信する（ステップＳ１６２）。
【００６０】
サーバ２００の通信部２１４は、ＰＣ１００からＩＤとパスワードを受信すると（ステップＳ１６４）、認証部２１６は、顧客情報ＤＢ２３２を参照して、受信したＩＤとパスワードの組み合わせがあるか否かを判断する（ステップＳ１６６）。受信したＩＤとパスワードの組み合わせがなかった場合（ステップＳ１６６：Ｎｏ）、処理を終了する。この際、通信部２１４は、認証が失敗した旨をＰＣ１００に送信してもよい。一方、受信したＩＤとパスワードの組み合わせがあった場合（ステップＳ１６６：Ｙｅｓ）、通信部２１４は、認証が成功した旨をＰＣ１００に送信する（ステップＳ１６８）。
【００６１】
ＰＣ１００の通信部１１８は、認証が成功した旨を受信すると（ステップＳ１７０）、入力受付部１１４は、調理師による所望の日付と所属する学校名の入力を受け付ける。そして、通信部１１８は、メニュー情報を要求するメニュー情報取得要求とともに、入力された日付と学校名をサーバ２００に送信する（ステップＳ１７２）。
【００６２】
サーバ２００の通信部２１４は、ＰＣ１００からメニュー情報取得要求と日付と学校名とを受信する（ステップＳ１７４）。制御部２１２は、料理情報ＤＢ２３４から、受信した日付と学校名に対応するメニュー情報を取得し（ステップＳ１７６）、通信部２１４は、取得したメニュー情報をＰＣ１００に送信する（ステップＳ１７８）。
【００６３】
ＰＣ１００の通信部１１８は、サーバ２００からメニュー情報を受信すると（ステップＳ１８０）、調理師は、受信したメニュー情報を参照しながら給食を作る。給食を作ると、入力受付部１１４は、調理師による所属する学校名とクラスの入力を受け付ける。そして、通信部１１８は、摂取不可児童リストを要求する摂取不可児童リスト取得要求とともに、入力された学校名とクラスとをサーバ２００に送信する（ステップＳ１８２）。
【００６４】
サーバ２００の通信部２１４は、摂取不可児童リスト取得要求と学校名とクラスとを受信する（ステップＳ１８４）。制御部２１２は、アレルギー情報ＤＢ２３６から、受信した学校名とクラスに対応するアレルギー情報を取得する（ステップＳ１８６）。そして、リスト生成部２１８は、各料理に対する摂取不可児童リストを生成し、通信部２１４は、生成した摂取不可児童リストをＰＣ１００に送信する（ステップＳ１８８）。
【００６５】
ＰＣ１００の通信部１１８は、サーバ２００から摂取不可児童リストを受信する（ステップＳ１９０）そして、表示制御部１１２が先に受信したメニュー情報を表示すると、入力受付部１１４は、表示されたメニュー情報から料理の選択を受け付ける。そして、通信部１１８は、日付、学校名、クラス、および選択された料理に対応するメニュー情報と摂取不可児童リストを、料理が納められた容器に取り付けられる表示端末５００に送信する（ステップＳ１９２）。
【００６６】
表示端末５００の通信部５１２は、ＰＣ１００から、日付、学校名、クラス、メニュー情報、および摂取不可児童リストを受信し、受信した日付等を記憶部５３０に保存する（ステップＳ１９４）。
【００６７】
次に、撮像部５１４は、表示端末５００が取り付けられる容器に納められた料理を撮像して画像データを取得し、判断部５１６は、撮像した画像データと、記憶部５３０のメニュー情報に添付された画像データとを比較する（ステップＳ１９６）そして、判断部５１６は、両画像データが同一の料理を示しているか否かを判断する（ステップＳ１９８）。
【００６８】
同一の料理を示していない場合（ステップＳ１９８：Ｎｏ）、配膳不可である旨を表示部５０２に表示する（ステップＳ２００）。一方、同一の料理を示している場合（ステップＳ１９８：Ｙｅｓ）、受信した各種情報（日付、学校名、クラス、メニュー情報、および摂取不可児童リスト）を表示部５０２に表示する（ステップＳ２０２）。
【００６９】
このように、実施の形態にかかる表示システムは、栄養士から送信された料理情報、および児童または児童の保護者から送信されたアレルギー情報を予めサーバ２００に登録しておく。次に、調理師のＰＣ１００は、サーバ２００から給食のメニュー情報を取得し、取得したメニュー情報を参照して調理師が給食を作る。給食を作った後、調理師のＰＣ１００は、サーバ２００から給食に関するアレルギー情報が記載された摂取不可児童リストを受信して、受信した摂取不可児童リストやメニュー情報との各種情報を表示端末５００に送信する。料理が納められた容器に取り付けられた表示端末５００は、容器に納められた料理を撮像した画像データと受信したメニュー情報に添付された料理の画像データとを比較する。そして、両画像データが同一の料理を示している場合は、受信した各種情報を表示部５０２に表示する。これにより、表示対象物の容器に取り付けた端末に当該容器に納められた表示対象物の情報を正しく表示できるとともに、表示された情報を表示対象物の取得者等の関係者に周知することができる。すなわち、料理が正しく配膳されるとともに、当該料理を摂取できない児童（摂取不可児童）を関係者（配膳する児童や配膳される児童や周りの児童）に周知することができる。
【００７０】
次に、本実施の形態にかるＰＣ１００、３００、４００のハードウェア構成について説明する。図１３は、実施の形態にかかるＰＣのハードウェア構成を示す説明図である。
【００７１】
実施の形態にかかるＰＣは、ＣＰＵ（Central  Processing  Unit）５１などの制御装置と、ＲＯＭ（Read  Only  Memory）５２やＲＡＭ（Random  Access  Memory）５３などの記憶装置と、ネットワークに接続して通信を行う通信Ｉ／Ｆ５４と、ＨＤＤ、ＣＤ（Compact  Disc）ドライブ装置などの外部記憶装置と、ディスプレイ装置などの表示装置と、キーボードやマウスなどの入力装置と、各部を接続するバス６１を備えており、通常のコンピュータを利用したハードウェア構成となっている。
【００７２】
実施の形態にかかるＰＣで実行されるプログラムは、インストール可能な形式又は実行可能な形式のファイルでＣＤ−ＲＯＭ（Compact  Disk  Read  Only  Memory）、フレキシブルディスク（ＦＤ）、ＣＤ−Ｒ（Compact  Disk  Recordable）、ＤＶＤ（Digital  Versatile  Disk）等のコンピュータで読み取り可能な記録媒体に記録されてコンピュータプログラムプロダクトとして提供される。
【００７３】
また、実施の形態にかかるＰＣで実行されるプログラムを、インターネット等のネットワークに接続されたコンピュータ上に格納し、ネットワーク経由でダウンロードさせることにより提供するように構成してもよい。また、実施の形態にかかるＰＣで実行されるプログラムをインターネット等のネットワーク経由で提供または配布するように構成してもよい。また、実施の形態にかかるＰＣで実行されるプログラムを、ＲＯＭ等に予め組み込んで提供するように構成してもよい。
【００７４】
実施の形態にかかるＰＣで実行されるプログラムは、上述した各部を含むモジュール構成となっており、実際のハードウェアとしてはＣＰＵ５１（プロセッサ）が上記記憶媒体からプログラムを読み出して実行することにより上記各部が主記憶装置上にロードされ、上述した各部が主記憶装置上に生成されるようになっている。また、例えば、上述した各部の機能のうちの一部または全部が専用のハードウェア回路で実現されてもよい。
【００７５】
（実施の形態の変形例１）
上述の実施の形態にかかる表示システムでは、各料理を納めた容器に取り付けられた表示端末５００に、サーバ２００から受信したメニュー情報や摂取不可児童リストを表示することで、料理を摂取できない児童を、配膳する児童や配膳される児童などの関係者に周知させるものであった。これに対し、別の形態として、児童が自己のＩＤを記憶させたＩＣカードを所持し、カードリーダ（読取部）を備えた表示端末５００にＩＣカードをかざすことにより、摂取不可児童否かを判断して結果を表示する構成とした変形例１について説明する。
【００７６】
本変形例では、サーバ２００からＰＣ１００に送信される摂取不可児童リストは、さらに児童のＩＤが追加されているものとする。また、表示端末５００は、上述の実施の形態に加え、ＩＣカードからＩＤを読み取る読取部を備える。そして、児童は、自己のＩＤを記憶させた非接触記憶媒体であるＩＣカードを所持している。
【００７７】
図１４は、実施の形態の変形例１にかかる表示システムにおける各種情報の表示処理の流れを示すフローチャートである。ＰＣ１００によるＩＤとパスワードの送信から表示端末５００による各種情報の保存までの処理（ステップＳ２１２〜ステップＳ２４４）の処理は、図１２におけるステップＳ１６２〜ステップＳ１９４までと同様であるため、説明を省略する。
【００７８】
次に、児童の所持するＩＣカードが表示端末５００にかざされると、ＩＣカードは、児童のＩＤを送信し（ステップＳ２４６）、表示端末５００の読取部は、児童のＩＤを受信する（ステップＳ２４８）。
【００７９】
表示端末５００は、受信した児童のＩＤが、ＰＣ１００から受信した摂取不可児童リストにあるか否かを判断する（ステップＳ２５０）。ＩＤが摂取不可児童リストにあると判断した場合（ステップＳ２５０：Ｙｅｓ）、表示端末５００は、摂取不可である旨を表示部５０２に表示する（ステップＳ２５２）。一方、ＩＤが摂取不可児童リストにないと判断した場合（ステップＳ２５０：Ｎｏ）、表示端末５００は、摂取可能である旨を表示部５０２に表示する（ステップＳ２５４）。
【００８０】
このように、変形例１にかかる表示システムでは、児童のＩＤを記憶したＩＣカードを料理の容器に取り付けられた表示端末に近づけると、表示端末がその料理を摂取可能であるか否かを表示する。このため、児童個々に摂取の可否を判断することができ、摂取不可児童を関係者に周知するとともに料理を誤って摂取不可児童に配膳されることを防止できる。
【００８１】
（実施の形態の変形例２）
また、別の形態として、児童のアレルギー情報を携帯端末に記憶しておき、メニュー情報を記憶した表示端末５００に携帯端末をかざすことにより、メニュー情報にアレルギー情報の食材があるかを判断して結果を表示する構成とした変形例２について説明する。
【００８２】
本変形例では、表示端末５００は、上述の実施の形態に加え、携帯端末からアレルギー情報を読み取る読取部を備えるものとする。そして、児童は、自己のアレルギー情報を記憶させた携帯端末を所持している。
【００８３】
図１５は、実施の形態の変形例２にかかる表示システムにおける各種情報の表示処理の流れを示すフローチャートである。ＰＣ１００によるＩＤとパスワードの送信からメニュー情報の受信までの処理（ステップＳ２７２〜ステップＳ２９０）の処理は、図１２におけるステップＳ１６２〜ステップＳ１８０までと同様であるため、説明を省略する。
【００８４】
次に、ＰＣ１００は、受信したメニュー情報を表示し、表示されたメニュー情報から料理の選択を受け付け、受け付けた料理に対応するメニュー情報を、料理が納められた容器に取り付けられた表示端末５００に送信する（ステップＳ２９２）。表示端末５００は、ＰＣ１００からメニュー情報を受信して、記憶部１３０に保存する（ステップＳ２９４）。
【００８５】
一方、児童が所持する携帯端末には、予め児童のアレルギー情報の入力を受け付け、受け付けたアレルギー情報を記憶している（ステップＳ２９６）。そして、児童の所持する携帯端末が表示端末５００にかざされると、携帯端末は、児童のアレルギー情報を表示端末５００に送信し（ステップＳ２９８）、表示端末５００の読取部は、児童のアレルギー情報を受信する（ステップＳ３００）。
【００８６】
表示端末５００は、携帯端末から受信したアレルギー情報にある食材が、ＰＣ１００から受信したメニュー情報にあるか否かを判断する（ステップＳ３０２）。アレルギー情報にある食材がメニュー情報にあると判断した場合（ステップＳ３０２：Ｙｅｓ）、表示端末５００は、摂取不可である旨を表示部５０２に表示する（ステップＳ３０４）。一方、アレルギー情報にある食材がメニュー情報にないと判断した場合（ステップＳ３０２：Ｎｏ）、表示端末５００は、摂取可能である旨を表示部５０２に表示する（ステップＳ３０６）。
【００８７】
このように、変形例２にかかる表示システムは、アレルギー情報を記憶した携帯端末を料理の容器に取り付けられた表示端末に近づけると、表示端末がその料理にアレルギー情報にある食材があるか否かを判断して摂取可能か否かを表示する。このため、児童個々に摂取の可否を判断することができ、摂取不可児童を関係者に周知するとともに料理を誤って摂取不可児童に配膳されることを防止できる。
【００８８】
（実施の形態の変形例３）
また、別の形態として、児童のアレルギー情報を携帯端末に記憶しておき、メニュー情報の食材情報をＰＣ１００から受信することにより、アレルギー情報に受信した食材情報があるかを判断して結果を表示する構成とした変形例３について説明する。
【００８９】
本変形例では、サーバ２００からＰＣ１００に送信されるメニュー情報の各料理にはメニューＩＤが追加されているものとする。また、表示端末５００は、上述の実施の形態に加え、携帯端末からメニューＩＤ送信依頼を読み取る読取部を備える。そして、表示端末５００は、メニューＩＤ送信依頼を読み取った場合、ＰＣ１００から受信したメニュー情報に付随するメニューＩＤを携帯端末に送信する。また、児童は、自己のアレルギー情報を記憶させた携帯端末を所持している。
【００９０】
図１６は、実施の形態の変形例３にかかる表示システムにおける各種情報の表示処理の流れを示すフローチャートである。ＰＣ１００によるＩＤとパスワードの送信からメニュー情報の受信までの処理（ステップＳ３２２〜ステップＳ３４０）の処理は、図１２におけるステップＳ１６２〜ステップＳ１８０までと同様であるため、説明を省略する。
【００９１】
次に、ＰＣ１００は、受信したメニュー情報を表示し、表示されたメニュー情報から料理の選択を受け付け、受け付けた料理に対応するメニュー情報およびメニューＩＤを、料理が納められた容器に取り付けられた表示端末５００に送信する（ステップＳ３４２）。表示端末５００は、ＰＣ１００からメニュー情報およびメニューＩＤを受信して、記憶部１３０に保存する（ステップＳ３４４）。そして、表示端末５００は、受信したメニュー情報を表示部５０２に表示する。
【００９２】
一方、児童が所持する携帯端末には、予め児童のアレルギー情報の入力を受け付け、受け付けたアレルギー情報を記憶している（ステップＳ３４６）。そして、児童の所持する携帯端末が表示端末５００にかざされると、携帯端末は、メニューＩＤの送信依頼を表示端末５００に送信し（ステップＳ３４８）、表示端末５００の読取部は、メニューＩＤの送信依頼を受信する（ステップＳ３５０）。
【００９３】
次に、表示端末５００は、ＰＣ１００から受信したメニューＩＤを携帯端末に送信し（ステップＳ３５２）、携帯端末はメニューＩＤを受信する（ステップＳ３５４）。その後、携帯端末は、受信したメニューＩＤをサーバ２００に送信し（ステップＳ３５６）、サーバ２００はメニューＩＤを受信する（ステップＳ３５８）。
【００９４】
サーバ２００は、メニュー情報から受信したメニューＩＤに対応する料理の食材情報を取得し（ステップＳ３６０）、取得した食材情報を携帯端末に送信する（ステップＳ３６２）。
【００９５】
携帯端末は、サーバ２００から食材情報を受信すると（ステップＳ３６４）、携帯端末は、受信した食材情報が記憶しているアレルギー情報にあるか否かを判断する（ステップＳ３６６）。食材情報がアレルギー情報にあると判断した場合（ステップＳ３６６：Ｙｅｓ）、携帯端末は、摂取不可である旨を表示する（ステップＳ３６８）。一方、食材情報がアレルギー情報にないと判断した場合（ステップＳ３６６：Ｎｏ）、携帯端末は、摂取可能である旨を表示する（ステップＳ３７０）。
【００９６】
このように、変形例３にかかる表示システムでは、アレルギー情報を記憶した携帯端末を料理の容器に取り付けられた表示端末に近づけると携帯端末にメニューＩＤが送信される。そして、携帯端末がメニューＩＤをサーバに送信して料理に使用されている食材情報を受信すると、その食材情報がアレルギー情報にあるか否かを判断して摂取可能か否かを表示する。このため、児童個々に摂取の可否を判断することができ、摂取不可児童を関係者に周知するとともに料理を誤って摂取不可児童に配膳されることを防止できる。
【符号の説明】
【００９７】
１００、３００、４００  ＰＣ
１０２  表示部
１０４  入力部
１１２  表示制御部
１１４  入力受付部
１１６  制御部
１１８  通信部
１３０  記憶部
２００  サーバ
２１２  制御部
２１４  通信部
２１６  認証部
２１８  リスト生成部
２３０  記憶部
２３２  顧客情報ＤＢ
２３４  料理情報ＤＢ
２３６  アレルギー情報ＤＢ
５００  表示端末
５０２  表示部
５０４  取付部
５０６  カメラ
５１２  通信部
５１４  撮像部
５１６  判断部
５１８  表示制御部
５３０  記憶部
【先行技術文献】
【特許文献】
【００９８】
【特許文献１】特開２００６−６５４２２号公報
【図１】
2016170719.tif 000003
【図２】
2016170719.tif 000004
【図３】
2016170719.tif 000005
【図４】
2016170719.tif 000006
【図５】
2016170719.tif 000007
【図６】
2016170719.tif 000008
【図７】
2016170719.tif 000009
【図８】
2016170719.tif 000010
【図９】
2016170719.tif 000011
【図１０】
2016170719.tif 000012
【図１１】
2016170719.tif 000013
【図１２】
2016170719.tif 000014
【図１３】
2016170719.tif 000015
【図１４】
2016170719.tif 000016
【図１５】
2016170719.tif 000017
【図１６】
2016170719.tif 000018